(57)【要約】【課題】通気層内の結露や湿気が壁体内へ入り込むのを防止でき、かつ、施工が容易な透湿防水シートを提供する。【解決手段】第１接着層２６と第２接着層２８とを接触させると、重ね合わされた透湿防水シート１０の端部を全長にわたって強固に接合することができる。また、第１接着層２６がシート本体２４の幅方向一方端部２４ａに形成され、第２接着層２８がシート本体２４の幅方向他方端部２４ｂに形成されるので、透湿防水シート１０をロール状に巻いても第１接着層２６と第２接着層２８とは接触せず、シートどうしが接着されることはない。【選択図】　　図１
2004044231.tif 000002
【特許請求の範囲】
【請求項１】
透湿性と防水性とを有する長尺のシート本体と、前記シート本体の幅方向一方端部の面に前記シート本体の長手方向全長にわたって形成された第１接着層と、前記シート本体の幅方向他方端部の面に前記シート本体の長手方向全長にわたって形成された第２接着層とを備え、
前記第１接着層と前記第２接着層とが接触されることによって、前記シート本体の前記幅方向一方端部と前記幅方向他方端部とが接合される、透湿防水シート。
【請求項２】
前記第１接着層および前記第２接着層のいずれか一方は前記シート本体の表面に形成され、他方は前記シート本体の裏面に形成される、請求項１に記載の透湿防水シート。
【発明の詳細な説明】
【０００１】
【発明の属する技術分野】
本発明は、住宅などの外壁通気構法に用いられる透湿防水シートに関するものである。
【０００２】
【従来の技術】
図４および図５に示すように、建屋の外装材（１）と壁体（２）との間に通気層（３）を設ける外壁通気構造では、壁体（２）の屋外側の面に透湿防水シート（４）が取り付けられていた。
【０００３】
従来の透湿防水シート（４）は、壁体（２）内に雨水などが浸入しないように、複数の帯状のシートを一部重ね合わせながら、壁体（２）の屋外側の面に横方向に延ばされて配置されていた。
【０００４】
そして、透湿防水シート（４）どうしを重ね合わせた部分が、ステープル（５）で接合されると同時に、壁体（２）に固定されていた。
【０００５】
【発明が解決しようとする課題】
このように従来の透湿防水シート（４）では、重ね合わせた端部（４ａ）（４ｂ）どうしがステープル（５）によって部分的に接合されたものであり、重ね合わせた部分に隙間が生じていた。このため、透湿防水シート（４）を介して壁体（２）から通気層（３）に放散された湿気や通気層（３）で発生した結露が風（Ｗ１）などによって壁体（２）内に入り込み、壁体（２）を構成する外壁下地材（６）や断熱材（７）などにカビを発生させ、このカビが壁体（２）の耐久性を低下させるとともに、屋内の住環境を悪化させるといった問題があった。
【０００６】
この問題を解決する技術として、透湿防水シート（４）の重ね合わせ部分をブチル系の止水テープなどで貼り合わせる技術が知られているが、コストや手間がかかるため現実的な解決手段とはならなかった。
【０００７】
それゆえ、この発明の主たる目的は、通気層内の結露や湿気が壁体内へ入り込むのを防止でき、かつ、施工が容易な透湿防水シートを提供することである。
【０００８】
【課題を解決するための手段】
請求項１に記載した発明は、「透湿性と防水性とを有する長尺のシート本体（２４）と、シート本体（２４）の幅方向一方端部（２４ａ）の面にシート本体（２４）の長手方向全長にわたって形成された第１接着層（２６）と、シート本体（２４）の幅方向他方端部（２４ｂ）の面にシート本体（２４）の長手方向全長にわたって形成された第２接着層（２８）とを備え、第１接着層（２６）と第２接着層（２８）とが接触されることによって、シート本体（２４）の幅方向一方端部（２４ａ）と幅方向他方端部（２４ｂ）とが接合される、透湿防水シート（１０）」である。
【０００９】
この発明において、第１接着層（２６）と第２接着層（２８）とを接触させると、重ね合わされた透湿防水シート（１０）の端部を全長にわたって強固に接合することができる。また、第１接着層（２６）がシート本体（２４）の幅方向一方端部（２４ａ）に形成され、第２接着層（２８）がシート本体（２４）の幅方向他方端部（２４ｂ）に形成されるので、透湿防水シート（１０）をロール状に巻いても第１接着層（２６）と第２接着層（２８）とは接触せず、シートどうしが接着されることはない。
【００１０】
請求項２に記載した発明は、請求項１に記載の発明において、「第１接着層（２６）および前記第２接着層（２８）のいずれか一方は前記シート本体の表面に形成され、他方は前記シート本体の裏面に形成される」ことを特徴とする。
【００１１】
この発明では、第１接着層（２６）と第２接着層（２８）とのそれぞれがシート本体（２４）の異なる面に形成されるので、透湿防水シート（１０）を順次重ね合わせながら一定方向に向けて施工するのが容易である。
【００１２】
【発明の効果】
請求項１および２に記載の発明によれば、透湿防水シートの第１接着層と第２接着層とを接触させるだけで、透湿防水シートの端部どうしの全体を強固に接合することができる。したがって、透湿防水シートどうしの接合端部から壁体内へ向けて、通気層内の結露や湿気が入り込むのを確実に防止できる。
【００１３】
また、第１接着層がシート本体の幅方向一方端部に形成され、第２接着層がシート本体の幅方向他方端部に形成されるので、透湿防水シートをロール状に巻き取ってもシートどうしは接着されることがなく、また、ロール状に巻き取られた透湿防止シートは抵抗なく簡単に引き延ばすことができる。つまり、透湿防水シートを簡単に施工することができる。
【００１４】
そして、請求項２記載の発明によれば、第１接着層と第２接着層とのそれぞれがシート本体の異なる面に形成されるので、透湿防水シートを一定方向に向けて順次重ね合わせながら容易に施工できる。
【００１５】
【発明の実施の形態】
図１に示すこの発明の一実施例の透湿防水シート（１０）は、図２に示すように、建屋の外装材（１２）と壁体（１４）との間に通気層（１６）を設ける外壁通気構造における壁体（１４）の屋外側の面に取り付けられるものである。
【００１６】
ここで、壁体（１４）は、コンクリートなどによって形成された基礎（１８）の上に設けられるものであり、複数の柱（１４ａ）や間柱（１４ｅ）を含み、各柱（１４ａ）や間柱（１４ｅ）の上端には胴差し（１４ｂ）が設けられる。各柱（１４ａ）や間柱（１４ｅ）の屋外側の側面には外壁下地材（１４ｃ）が釘やネジ等によって取り付けられ、室内側の側面には図示しない内壁材が釘等によって取り付けられる。このとき、外壁下地材（１４ｃ）と内壁材とによって構成された空間には断熱材（１４ｄ）が配置される。
【００１７】
そして、壁体（１４）における屋外側の面の全面には、複数の帯状の透湿防水シート（１０）が幅方向端部を重ね合わされた状態で取り付けられる。
【００１８】
なお、透湿防水シート（１０）が取り付けられた壁体（１４）の屋外側の面に、所定の間隔を隔てて胴縁（２０）が取り付けられ、この胴縁（２０）における屋外側の側面の上端および下端には、壁体（１４）から所定間隔離れて通気用土台水切（２２）が固定される。そして、通気用土台水切（２２）に外装材（１２）が取り付けられ、外装材（１２）と壁体（１４）とに挟まれた空間、すなわち、通気層（１６）が形成される。
【００１９】
外壁下地材（１４ｃ）は、ダイライト（大建工業（株）製；登録商標）や合板，火山
性ガラス質複層板，ＯＳＢ（Ｏｒｉｅｎｔｅｄ　Ｓｔｒａｎｄｂｏａｔｄ），パーティクルボード，シージングボード，ケイカル板等の単体または複合材からなり、断熱材（１４ｄ）は、グラスウール，ロックウール等の無機繊維系断熱材、ビーズ法ポリスチレンフォーム，ポリエチレンフォーム，押出ポリスチレンフォーム，フェノールフォーム保温板，硬質ウレタンフォーム，吹付け硬質ウレタンフォーム等の発泡プラスチック系断熱材、シージングボード，タタミボード，吹込み用セルロースファイバー等の木質繊維系断熱材等で、板状またはマット状に形成されている。
【００２０】
本実施形態の横架材は土台、胴差しの場合としたが、胴差し、桁の場合でもよい。
【００２１】
透湿防水シート（１０）は、図１に示すように、シート本体（２４），第１接着層（２６）および第２接着層（２８）を含む。
【００２２】
シート本体（２４）は、ポリエチレンやポリエステルなどの不織布、多孔質フィルム、もしくは、これらの複合材料などによって形成された長尺のシート部材であり、０．１３ｍ２・ｓ・Ｐａ／μｇ以下の透湿性と８ｋＰａ以上の初期防水性を兼ね備えたものがよいが、これに限られるものではない。ただし、透湿性および防水性の測定は、ＪＩＳ−Ａ６１１１およびＪＴＣ（住宅外装テクニカルセンター）に準じた。
【００２３】
そして、このシート本体（２４）における幅方向一方端部（２４ａ）の表面の長手方向全長にわたって第１接着層（２６）が形成され、幅方向他方端部（２４ｂ）の裏面の長手方向全長にわたって第２接着層（２８）が形成される。
【００２４】
第１接着層（２６）は、主剤成分とプライマー成分との２成分からなり、各成分単独では接着性能を発揮しないが、２成分が接触することによって接着性能を発揮する接着剤の主剤成分によって構成される。
【００２５】
この第１接着層（２６）を構成する接着剤の主剤成分としては、ウレタン系の樹脂としたが、ゴム系，アクリル系，アクリルウレタン系およびエポキシ系などの樹脂でもよく、固体の状態で所定のプライマー成分と接触することによって接着性能が発揮できるように設計されたものが好適である。
【００２６】
第２接着層（２８）は、第１接着層（２６）を構成する主剤成分に反応するプライマー成分によって構成される。
【００２７】
この第２接着層（２８）を構成するプライマー成分としては、アミン系の化合物としたが、これに限らず、固体の状態で主剤成分と接触することによって接着性能が発揮できるように設計されたものが好適である。
【００２８】
なお、シート本体（２４）の第１接着層（２６）および第２接着層（２８）が形成された部分は透湿性が阻害される。したがって、第１接着層（２６）および第２接着層（２８）が十分な接着強度を発現でき、かつ、透湿防水シート（１０）の透湿性を阻害しないようにするため、第１接着層（２６）および第２接着層（２８）は、シート本体（２４）の全幅に対して約１０％程度の幅で形成されるのがよいが、これに限らない。
【００２９】
本発明の透湿防水シート（１０）を製造するには、まず、シート本体（２４）を準備し、シート本体（２４）の幅方向一方端部（２４ａ）の表面側に、ロールコーター，バーコーター，グラビアコーター，エアナイフコーターおよびスプレーコーターなど公知の塗布手段によって、上述した接着剤の主剤成分を塗布し、これを乾燥させて第１接着層（２６）を形成する。そして、第１接着層（２６）と同様な手段によって、シート本体（２４）の幅方向他方端部（２４ｂ）の裏面に、上述したプライマー成分を塗布し、これを乾燥させて第２接着層（２８）を形成する。
【００３０】
図３を参照して、本発明の透湿防水シート（１０）を壁体（１４）に取り付ける際には、ロール状に巻き取られた透湿防水シート（１０）のシート本体（２４）を所定の長さに引き延ばし、第２接着層（２８）が外壁下地材（１４ｃ）の下端に位置するように位置決するとともに、第１接着層（２６）が屋外側へ向くように配置し、ステープルなどの固定部材（３０）によって透湿防水シート（１０）を外壁下地材（１４ｃ）に固定する。
【００３１】
そして、屋外側に向けられた第１接着層（２６）の全体に、別の透湿防水シート（１０）の第２接着層（２８）の全体を重ね合わせて、ステープルなどの固定部材（３０）によって別の透湿防水シート（１０）を外壁下地材（１４ｃ）に固定する。すると、第１接着層（２６）と第２接着層（２３）とが接触することによって接着性能が発揮され、透湿防水シート（１０）の端部と別の透湿防水シート（１０）の端部とが長手方向全体にわたって密着して接合される。
【００３２】
以上の作業を繰り返すことによって、壁体（１４）の下端から上端に向けて、透湿防水シート（１０）が壁体（１４）の屋外側の全面に取り付けられる。
【００３３】
なお、第１接着層（２６）と第２接着層（２８）とを重ね合わせることができない透湿防水シート（１０）の端部は、ブチル系止水テープ（３２）などによって水密的に固定する。
【００３４】
この実施例によれば、透湿防水シート（１０）の第１接着層（２６）と第２接着層（２８）とを接触させるだけで、第１接着層（２６）と第２接着層（２８）とが接着性能を発揮するため、重ね合わせた透湿防水シート（１０）の端部全体を強固に接合することができる。したがって、透湿防水シート（１０）どうしの接合部から壁体内へ向けて通気層内の結露や湿気が入り込むのを防止できる。
【００３５】
また、シート本体（２４）の幅方向一方端部（２４ａ）に第１接着層（２６）が形成され、幅方向他方端部（２４ｂ）に第２接着層（２８）が形成されるので、透湿防水シート（１０）をロール状に巻き取っても、第１接着層（２６）と第２接着層（２８）とが接触することがなく、第１接着層（２６）および第２接着層（２８）の接着性能は発揮されない。したがって、従来の透湿防水シートと同様に取り扱うことができる。
【００３６】
なお、上述の実施例では、第１接着層（２６）を接着剤の主剤成分で構成し、第２接着層（２８）をプライマー成分で構成するようにしたが、第１接着層（２６）をプライマー成分で構成し、第２接着層（２８）を接着剤の主剤成分で構成するようにしてもよい。
【００３７】
また、第１接着層（２６）が表面に形成され、第２接着層（２８）が裏面に形成された透湿防水シート（１０）を、壁体（１４）の下端から上端に向けて順次取り付ける例を示したが、第１接着層（２６）と第２接着層（２８）とが同じ面に形成された透湿防水シート（１０）を用い、第１接着層（２６）と第２接着層（２８）とが屋外側へ向くよう配置した透湿防水シート（１０）を壁体の両端部に取り付け、その間に第１接着層（２６）と第２接着層（２８）とが室内側へ向くように配置した透湿防水シート（１０）を取り付けるようにしてもよい。
【００３８】
また、透湿防水シート（１０）を壁体（１４）の下端から上端に向けて順次取り付ける、いわゆる横張り施工の例を示したが、本発明の透湿防水シート（１０）は、重ね合わせた端部どうしの全体を強固に接合することができるので、透湿防水シートを縦方向に延ばすとともに水平方向に向けて順次取り付ける、いわゆる縦張り施工で取り付けるようにしてもよい。
【図面の簡単な説明】
【図１】本発明の一実施例の透湿防水シートを示す斜視図である。
【図２】透湿防水シートの使用態様を示す解斜視図である。
【図３】透湿防水シートの使用態様の要部を示す斜視図である。
【図４】従来の透湿防水シートの使用態様を示す解斜視図である。
【図５】従来の透湿防水シートの使用態様の要部を示す斜視図である。
【符号の説明】
（１０）…透湿防水シート
（１２）…外装材
（１４）…壁体
（１４ｃ）…外壁下地材
（１６）…通気層
（１８）…基礎
（２０）…胴縁
（２２）…通気用土台水切
（２４）…シート本体
（２６）…第１接着層
（２８）…第２接着層
（３０）…固定部材
【図１】
2004044231.tif 000003
【図２】
2004044231.tif 000004
【図３】
2004044231.tif 000005
【図４】
2004044231.tif 000006
【図５】
2004044231.tif 000007